(57)【特許請求の範囲】
【請求項１】
封止された相変化材料ヒートシンクであって、
下方シェルと、
上方シェルと、
非相変化材料内に密封された相変化材料を含み、前記非相変化材料が前記相変化材料の相変化に伴って膨張せず収縮もしない、封止された相変化材料と、
空間を有する内部マトリクスと、
を含み、
前記空間が前記封止された相変化材料を受容するように構成されており、前記封止された相変化材料と前記下方シェル及び上方シェルのうち少なくとも１つとの間で熱エネルギーが移送可能であり、
前記内部マトリクスが前記下方シェル及び前記上方シェルの一方又は双方に一体的な複数のピンを含む、
封止された相変化材料ヒートシンク。
【請求項２】
請求項１に記載された封止された相変化材料ヒートシンクであって、室温かつ室圧で前記上方シェルが前記下方シェルに結合している、封止された相変化材料ヒートシンク。
【請求項３】
請求項１に記載された封止された相変化材料ヒートシンクであって、前記下方シェルが、キャビティを形成するよう構成されている隆起エッジを含み、前記キャビティが前記内部マトリクス及び前記封止された相変化材料を受容するように構成されている、封止された相変化材料ヒートシンク。
【請求項４】
請求項１に記載された封止された相変化材料ヒートシンクであって、前記複数のピンが前記下方シェルに一体化された、封止された相変化材料ヒートシンク。
【請求項５】
請求項１に記載された封止された相変化材料ヒートシンクであって、前記複数のピンが前記上方シェルに一体化された、封止された相変化材料ヒートシンク。
【請求項６】
請求項１に記載された封止された相変化材料ヒートシンクであって、前記内部マトリクスが下方内部マトリクスと上方内部マトリクスとを含み、前記複数のピンが前記下方シェルに一体化された第１の複数のピンと、前記上方シェルに一体化された第２の複数のピンとを含む、封止された相変化材料ヒートシンク。
【請求項７】
請求項１に記載された封止された相変化材料ヒートシンクであって、前記内部マトリクスが熱伝導フォームを含む、封止された相変化材料ヒートシンク。
【請求項８】
封止された相変化材料ヒートシンクであって、
非相変化材料内に封止されたワックスパウダーであって、前記非相変化材料が前記ワックスパウダーの相変化に伴って膨張せず収縮もしない、ワックスパウダーと、
空間を有する内部マトリクスであり、該空間が前記封止されたワックスパウダーを受容するように構成されている、内部マトリクスと、
キャビティを形成するように構成されている隆起エッジを含む下方シェルであり、前記キャビティが前記内部マトリクス及び前記封止されたワックスパウダーを受容するように構成されている、下方シェルと、
前記下方シェルと前記隆起エッジに結合されている上方シェルと、
を含み、
前記内部マトリクスが前記下方シェル及び前記上方シェルの一方又は双方に一体的な複数のピンを含む、
封止された相変化材料ヒートシンク。
【請求項９】
請求項８に記載された封止された相変化材料ヒートシンクであって、室温かつ室圧で前記上方シェルが前記下方シェルの前記隆起エッジに結合している、封止された相変化材料ヒートシンク。
【請求項１０】
請求項８に記載された封止された相変化材料ヒートシンクであって、前記複数のピンが前記下方シェルに一体化された、封止された相変化材料ヒートシンク。
【請求項１１】
請求項８に記載された封止された相変化材料ヒートシンクであって、前記複数のピンが前記上方シェルに一体化された、封止された相変化材料ヒートシンク。
【請求項１２】
請求項８に記載された封止された相変化材料ヒートシンクであって、前記内部マトリクスが下方内部マトリクスと上方内部マトリクスとを含み、前記複数のピンが前記下方シェルに一体化された第１の複数のピンと、前記上方シェルに一体化された第２の複数のピンとを含む、封止された相変化材料ヒートシンク。
【請求項１３】
請求項８に記載された封止された相変化材料ヒートシンクであって、前記内部マトリクスが熱伝導フォームを含む、封止された相変化材料ヒートシンク。
【請求項１４】
封止された相変化材料（PCM）ヒートシンクを形成する方法であって、
非相変化材料内に密封された相変化材料を含む封止された相変化材料を下方シェルに挿入する挿入工程であり、前記非相変化材料が前記相変化材料の相変化に伴って膨張せず収縮もしない、挿入工程と、
前記封止された相変化材料を上方シェルで覆う工程であり、前記封止された相変化材料が内部マトリクスの空間内に受容される、前記内部マトリクスが前記下方シェル及び前記上方シェルの一方又は双方に一体的な複数のピンを含む、覆う工程と、
室温かつ室圧で前記上方シェルを前記下方シェルに結合する結合工程と、
を含む封止された相変化材料ヒートシンクを形成する方法。
【請求項１５】
請求項１４に記載された方法であって、
前記下方シェル内に前記内部マトリクスを形成する工程を含み、
前記挿入工程が、前記内部マトリクスの前記空間内に前記封止された相変化材料を挿入することを含む、方法。
【請求項１６】
請求項１５に記載された方法であって、前記複数のピンが前記下方シェルに一体化された、方法。
【請求項１７】
請求項１４に記載された方法であって、さらに、
前記上方シェル内に前記内部マトリクスを形成する工程、
を含む方法。
【請求項１８】
請求項１７に記載された方法であって、前記複数のピンが前記上方シェルに一体化された、方法。
【請求項１９】
請求項１４に記載された方法であって、前記内部マトリクスが下方内部マトリクスと上方内部マトリクスとを含み、前記内部マトリクスの前記空間が前記下方内部マトリクスの空間と前記上方内部マトリクスの空間とを含み、
当該方法が、
前記下方シェル内に前記下方内部マトリクスを形成する工程であり、前記複数のピンが前記下方シェルに一体化された第１の複数のピンを含む、工程と、
前記上方シェル内に前記上方内部マトリクスを形成する工程であり、前記複数のピンが前記上方シェルに一体化された第２の複数のピンを含む、工程と、
を含み、
前記挿入工程が、前記下方内部マトリクスの前記空間に前記封止された相変化材料を挿入することを含む、
方法。
【請求項２０】
請求項１４に記載された方法であって、さらに、
前記下方シェル内に前記内部マトリクスをもたらす工程、
を含み、
前記内部マトリクスが熱伝導フォームを含み、
前記挿入工程が、前記熱伝導フォームの前記空間に前記封止された相変化材料を挿入することを含む、
方法。
【発明の詳細な説明】
【技術分野】
【０００１】
本開示は、一般に、熱技術に関し、より詳細には、封止された相変化材料ヒートシンク及び方法に関する。
【背景技術】
【０００２】
相変化材料ヒートシンク（phase  change  material  heat  sink）は、典型的な金属ヒートシンクに比較して、体積／質量当たりの熱容量を増大させることができる。しかしながら、相変化材料の漏れが起こりうるために、ヒートシンク内に相変化材料を含ませると、一般にシーリング（sealing）が必要となる。シーリングは、相変化材料を含む圧力容器を作ることにより最も効果的に達成できるが、一般に高価であり時間を消費してしまう。
【発明の概要】
【課題を解決するための手段】
【０００３】
本開示は、封止された相変化材料（PCM）ヒートシンク及び方法を提供する。
【０００４】
一実施形態においてもたらされる封止されたPCMヒートシンクが、下方シェル、上方シェル、封止された相変化材料及び内部マトリクス（matrix）を含む。内部マトリクスは、封止された相変化材料を受容するように構成された空間を含む。封止された相変化材料と、下方シェル及び上方シェルのうち少なくとも１つとの間で熱エネルギーが移送される。特定の実施形態において、上方シェルが下方シェルに室温かつ室圧（大気圧）で結合される。
【０００５】
他の実施形態においてもたらされる相変化材料ヒートシンクが、封止されたワックスパウダー、内部マトリクス、下方シェル及び上方シェルを含む。内部マトリクスは、封止されたワックスパウダーを受容するように構成された空間を含む。下方シェルは、キャビティを形成するように構成された隆起したエッジを含む。キャビティは、内部マトリクス及び封止されたワックスパウダーを受容するように構成されている。上方シェルは、下方シェルの隆起したエッジに結合している。特定の実施形態において、上方シェルは、室温かつ室圧で下方シェルの隆起したエッジに結合される。
【０００６】
さらに他の実施形態において、封止された相変化材料ヒートシンクを形成する方法がもたらされる。該方法は、封止された相変化材料を下方シェル内へと挿入する工程を含む。封止された相変化材料は、上方シェルで覆われ、内部マトリクスのスペース内部に受容される。上方シェルは、室温かつ室圧で下方シェルに結合される。
【０００７】
他の技術的特徴は、以下の図面、発明の詳細な説明及び請求の範囲から、当業者には直ちに明白であろう。
【図面の簡単な説明】
【０００８】
本開示をより完璧に理解することのために、添付図面とともに、以下の詳細な説明を参照されたい。
【０００９】
【図１】本開示に従った封止された相変化材料ヒートシンクを示す。
【００１０】
【図２Ａ】本開示に従った図１の内部マトリクスの例を示す。
【００１１】
【図２Ｂ】本開示に従った図１の内部マトリクスの例を示す。
【００１２】
【図２Ｃ】本開示に従った図１の内部マトリクスの例を示す。
【００１３】
【図３Ａ】本開示に従った図１の相変化材料ヒートシンクの形成方法の第１の実施例を示す。
【００１４】
【図３Ｂ】本開示に従った図１の相変化材料ヒートシンクの形成方法の第１の実施例を示す。
【００１５】
【図３Ｃ】本開示に従った図１の相変化材料ヒートシンクの形成方法の第１の実施例を示す。
【００１６】
【図３Ｄ】本開示に従った図１の相変化材料ヒートシンクの形成方法の第１の実施例を示す。
【００１７】
【図４Ａ】本開示に従った図１の相変化材料ヒートシンクの形成方法の第２の実施例を示す。
【００１８】
【図４Ｂ】本開示に従った図１の相変化材料ヒートシンクの形成方法の第２の実施例を示す。
【００１９】
【図４Ｃ】本開示に従った図１の相変化材料ヒートシンクの形成方法の第２の実施例を示す。
【００２０】
【図４Ｄ】本開示に従った図１の相変化材料ヒートシンクの形成方法の第２の実施例を示す。
【００２１】
【図５Ａ】本開示に従った図１の相変化材料ヒートシンクの形成方法の第３の実施例を示す。
【００２２】
【図５Ｂ】本開示に従った図１の相変化材料ヒートシンクの形成方法の第３の実施例を示す。
【００２３】
【図５Ｃ】本開示に従った図１の相変化材料ヒートシンクの形成方法の第３の実施例を示す。
【００２４】
【図５Ｄ】本開示に従った図１の相変化材料ヒートシンクの形成方法の第３の実施例を示す。
【００２５】
【図６Ａ】本開示に従った図１の相変化材料ヒートシンクの形成方法の第４の実施例を示す。
【００２６】
【図６Ｂ】本開示に従った図１の相変化材料ヒートシンクの形成方法の第４の実施例を示す。
【００２７】
【図６Ｃ】本開示に従った図１の相変化材料ヒートシンクの形成方法の第４の実施例を示す。
【００２８】
【図６Ｄ】本開示に従った図１の相変化材料ヒートシンクの形成方法の第４の実施例を示す。
【００２９】
【図６Ｅ】本開示に従った図１の相変化材料ヒートシンクの形成方法の第４の実施例を示す。
【００３０】
【図７】本開示に従った図１の相変化材料ヒートシンクの形成方法を示すフローチャートである。
【発明を実施するための形態】
【００３１】
以下に議論する図１乃至図７、及び本特許書面中の本開示の原理を記述するために用いられる多くの実施形態は、例示のためだけであり、本開示の範囲を制限するように解釈してはならない。本開示の原理が、現在知られているか否かに拘わらない如何なる数の技術によっても実施可能であることを当業者は理解するであろう。さらに、図面は必ずしも縮尺されていない。
【００３２】
上述したように、ヒートシンク内に相変化材料（ＰＣＭ）を含むことにより一般にシーリングが要求され、シーリングは、ＰＣＭを含む圧力容器を作ることによって効果的に達成される。例えば、パラフィンワックスがアルミニウム容器内にシーリングされて、１つのタイプのＰＣＭヒートシンクを形成する。そのＰＣＭヒートシンクは、典型的に真空ろう付け（vacuum  brazing）及び高圧シールプラグを用いて、パラフィンワックスが液体として膨張する際にヒートシンクから逃げることを防止する。真空ろう付けは、限定された数の施設で実行され、典型的には数ヶ月のリードタイムがある。さらに、これらのヒートシンクをパラフィンワックスで充填して、シールプラグを挿入する工程は、通常、９０℃以上の高温でなされ、組立の困難性を更に増大させる。
【００３３】
図１は、本開示に従った封止された相変化材料ヒートシンク１００の断面図を示す。図１に示す封止された相変化材料ヒートシンク１００の実施形態は、例示のためだけである。本開示の範囲から逸脱することなく、封止された相変化材料ヒートシンク１００の他の実施形態も用いることができる。
【００３４】
ヒートシンク１００は、下方シェル１０２及び上方シェル１０４を含む。下方シェル１０２は隆起したエッジ１０６を有し、隆起エッジ１０６は、内部マトリクス１１０及び封止された相変化材料１１２を収容するように構成されるキャビティ１０８を形成する。下方シェル１０２及び上方シェル１０４は、上方シェル１０４と下方シェルの隆起エッジ１０６との間の界面１１４において互いに結合することができ、内部マトリクス１１０及び封止された相変化材料１１２をヒートシンク１００内部に収容する。
【００３５】
下方シェル１０２は、アルミニウムその他の如何なる適切な熱伝導材料をも含む。長方形として図示しているが、ヒートシンク１００は、プリント回路ボードその他に隣接するように構成される、円形、楕円形、三角形などの如何なる適切な形状をも含む。例えば、いくつかの実施形態において、ヒートシンク１００は円形であって良い。これらの実施形態において、下方シェル１０２及び上方シェル１０４は、実質的に円形形状であろう。追加的に、キャビティ１０８の形状は隆起エッジ１０６により決定され、内部マトリクス１１０の形状はシェル１０２及び１０４の形状に依存しなくともよい。
【００３６】
内部マトリクス１１０は、下方シェル１０２及び／又は上方シェル１０４に結合しても良い熱伝導材料を含む。特定の実施例において、内部マトリクス１１０はピンを有する。該ピンは、下方シェル１０２及び／又は上方シェル１０４に結合し或いはそれらとともに形成されることができ、或いは、下方シェル１０２と上方シェル１０４との間に結合された熱伝導部品（図１に示していない）に結合されることもできる。他の実施例において、内部マトリクス１１０は、アルミニウムフォーム（泡状体）などの熱伝導フォーム（泡状体）（thermally-conductive  foam）を含んでも良い。こうして、内部マトリクス１１０は、直線状、傾斜状、らせん状、ジグザグ状のフォーム（泡状体）その他などの如何なる適切な形態をも含んでも良い。内部マトリクス１１０の熱伝導材料は、熱エネルギーを、内部マトリクス１１０のスペース内部の封止された相変化材料１１２中へと伝導するように構成される。
【００３７】
図１において複数の点で表現されている封止された相変化材料１１２は、相変化材料を封止する非相変化材料の被覆又はコーティング（coating）を含む。例えば、封止された相変化材料１１２は、複数の相対的に小さなガラス球を含み得る。ガラス球の各々は、相対的に少量のワックスパウダーを封止する。ワックスパウダーは、固体から液体状態へと変化する際に熱エネルギーを吸収する。こうして、封止された相変化材料１１２は、相変化材料の相変化を介してヒート又は熱エネルギーを貯蔵したり放出したりするように構成される。しかしながら、相変化材料が非相変化材料内に封止されているので、封止された相変化材料１１２は、相変化に伴って膨張せず収縮もしない。したがって、封止された相変化材料１１２は、相変化材料が膨張する際に（例えば、ワックスパウダー実施形態においてワックスパウダーが封止された溶融物であるときに）、下方シェル１０２や上方シェル１０４に圧力を及ぼさない。
【００３８】
結果として、高圧シーリング及び高温組立の必要性が排除され、Ｏリング、テープその他の如何なる適切なシーリング技術を用いても、下方シェル１０２及び上方シェル１０４を室温かつ室圧で（すなわち、ヒートシンク１００が形成される環境の温度や圧力を人工的に増大させることなく）互いに結合することができる。ある実施形態において、ヒートシンク１００が円形である実施例で、下方シェル１０２及び上方シェル１０４が相補的な螺刻を含んで良く、両シェル１０２及び１０４を互いにネジ止めすることが可能となる。高圧環境も高温環境も必要とされないので、ヒートシンク１００を形成するプロセスが著しく廉価で高速となる。
【００３９】
追加的に、ある実施形態において、内部マトリクス１１０及び封止された相変化材料１１２は併せても、下方シェル１０２及び上方シェル１０４よりも小質量である。こうして、内部マトリクス１１０及び封止された相変化材料１１２を用いることにより、ヒートシンク１００の質量が、同一の寸法を有するが下方シェル１０２及び上方シェル１０４のために用いる材料でできている固体ヒートシンクに比較して小さくなる。結果として、質量減少が望まれる応用において、ヒートシンク１００は、同じ或いはより良い熱性能をもたらしつつ質量減少を可能にする。
【００４０】
図１は封止された相変化材料ヒートシンク１００の一例を示しているけれども、図１に示す実施形態に対する様々な変形が可能である。例えば、封止された相変化材料ヒートシンク１００の形成及び配置は例示のためだけである。特定の必要性に応じて、成分又は要素を追加したり、省略したり、結合したり、分割したりすることができ、或いは如何なる適切な構成に位置することもできる。ある実施形態において、ヒートシンク１００は、取付部（図１に図示せず）状に形成することができ、それによりヒートシンク１００を特定応用に容易に組み込むことができる。
【００４１】
図２Ａ−Ｃは、本開示に従った内部マトリクス１１０の数例を示している。図２Ａ−Ｃに示す内部マトリクス１１０の数例は、例示のためだけである。本開示の範囲から逸脱することなく、他の実施形態の内部マトリクス１１０を用いることができる。これらの例において、内部マトリクス１１０は、濃い領域で表現されている熱伝導材料２０２及び白い領域で表現されている空間又は間隙２０４を含む。さらに、内部マトリクス１１０は、平面図で示されている。
【００４２】
図２Ａに示す実施形態において、熱伝導材料２０２が複数のピンとして構成されている。空間２０４は、ピンにより形成される連続的な開放領域を含む。方形として図示されているけれども、ピンは変形的には円形その他の如何なる適切な形状であってもよいことが理解される。図２Ｂに示す実施形態において、熱伝導材料２０２は複数のプレートとして構成されている。空間２０４は、複数のプレート間に形成された連続的な開放空間を含む。直線として図示されているけれども、プレートは変形的には傾斜状、ジグザグ状その他の如何なる適切な形状であってもよいことが理解される。図２Ｃに示される実施形態において、熱伝導材料２０２はグリッド（grid）として構成されている。空間２０４は、グリッドにより形成される不連続な開放領域を含む。方形グリッドとして図示されているけれども、グリッドは変形的には如何なる適切な形状であってもよいことが理解される。
【００４３】
以下に説明する図３−６は、封止された相変化材料ヒートシンク１００の特定例の形成方法を示している。しかしながら、本開示の範囲から逸脱することなく、ここで述べる要素の如何なる適切な構成をも実施可能であることが理解される。
【００４４】
図３Ａ−Ｄは、本開示の一実施形態に従った、封止された相変化材料ヒートシンク１００の形成を示している。図３Ａに示す特定例において、下方シェル１０２は、ピンを含む一体的な内部マトリクス１１０を有する。下方シェル１０２は、内部マトリクス１１０とともに形成することができる。或いは、下方シェル１０２形成後のキャビティ１０８において、内部マトリクス１１０を下方シェル１０２に結合することもできる。
【００４５】
内部マトリクス１１０のピンは、下方シェル１０２と封止された相変化材料ヒートシンク１１２との間で、ヒート又は熱エネルギーを伝導するように構成されている。封止された相変化材料ヒートシンク１１２は、内部マトリクス１１０上に追加され、図３Ｂに示すように、複数のピン間の空間又は間隙内を実質的に充填する。複数のピンの寸法及び間隙は、封止された相変化材料ヒートシンク１００が実装等される応用での熱的要求などの、如何なる適切な基準（criteria）に基づいても選択することができる。さらに、直線として図示されているけれども、ピンは、螺旋状、ジグザグ状その他の如何なる適切な構成をとることができる。
【００４６】
図３Ｃ−Ｄに示されるように、上方シェル１０４が下方シェル１０２の上に追加され、内部マトリクス１１０及び封止された相変化材料１１２並びにシェル及び１０４が、図１に関して述べたように如何なる適切な方法によっても、界面１１４で互いにシーリングすることができ、それにより封止された相変化材料ヒートシンク１００を形成する。上方シェル１０４を下方シェル１０２にシーリングした後は、内部マトリクス１１０の複数のピンは、上方シェル１０４と封止された相変化材料１１２との間でヒート又は熱エネルギーを伝導させるように構成されている。
【００４７】
図４Ａ−Ｄは、本開示の一実施形態に従った封止された相変化材料ヒートシンク１００の形成を示す。図４Ａに示されるように、この特定例において、隆起エッジ１０６により形成されたキャビティ１０８を有する下方シェル１０２が提供される。次に、封止された相変化材料１１２が、図４Ｂに示されるように、キャビティ１０８に追加される。
【００４８】
図４Ｃに示されるように、上方シェル１０４は、ピンを含む一体的な内部マトリクス１１０を含む。上方シェル１０４は内部マトリクス１１０とともに形成されても良く、或いは上方シェル１０４が形成された後に内部マトリクス１１０を上方シェル１０４に結合させても良い。内部マトリクス１１０のピンは、上方シェル１０４と封止された相変化材料１１２との間でヒート又は熱エネルギーを伝導するように構成される。複数のピンの寸法及び間隙は、封止された相変化材料ヒートシンク１００が実装等される応用での熱的要求などの、如何なる適切な基準（criteria）に基づいても選択することができる。さらに、直線として図示されているけれども、ピンは、螺旋状、ジグザグ状その他の如何なる適切な構成をとることができる。
【００４９】
図４Ｄに示されるように、内部マトリクス１１０を伴う上方シェル１０４は、下方シェル１０２及び封止された相変化材料１１２の上に追加され、それにより封止された相変化材料１１２が内部マトリクス１１０の複数のピン間の間隙を実質的に充填する。シェル１０２及び１０４は、図１に関して述べたように如何なる適切な方法によっても、界面１１４で互いにシーリングすることができ、それにより封止された相変化材料ヒートシンク１００を形成する。上方シェル１０４を下方シェル１０２にシーリングした後は、内部マトリクス１１０の複数のピンは、下方シェル１０２と封止された相変化材料１１２との間でヒート又は熱エネルギーを伝導させるように構成される。
【００５０】
図５Ａ−Ｄは、本開示の一実施形態に従った封止された相変化材料ヒートシンク１００の形成を示す。この特定例において、内部マトリクス１１０は、下方内部マトリクス１１０１及び上方内部マトリクス１１０２を含む。図５Ａに示されるように、下方シェル１０２は、ピンを含む、一体的な下方内部マトリクス１１０１を有する。下方シェル１０２は内部マトリクス１１０１とともに形成されても良く、或いは下方シェル１０２が形成された後に、キャビティ１０８内において内部マトリクス１１０１を下方シェル１０２に結合させても良い。
【００５１】
下方内部マトリクス１１０１の複数のピンは、下方シェル１０２と封止された相変化材料１１２との間でヒート又は熱エネルギーを伝導するように構成される。封止された相変化材料１１２は、図５Ｂに示されるように、内部マトリクス１１０１の上に追加され、ピン間及びピン上方の空間を実質的に充填する。複数のピンの寸法及び間隙は、封止された相変化材料ヒートシンク１００が実装等される応用での熱的要求などの、如何なる適切な基準（criteria）に基づいても選択することができる。さらに、直線として図示されているけれども、ピンは、螺旋状、ジグザグ状その他の如何なる適切な構成をとることができる。
【００５２】
図５Ｃに示されるように、上方シェル１０４は、ピンを含む一体的な内部マトリクス１１０２を含む。上方シェル１０４は内部マトリクス１１０２とともに形成されても良く、或いは上方シェル１０４が形成された後に内部マトリクス１１０２を上方シェル１０４に結合させても良い。上方内部マトリクス１１０２のピンは、封止された相変化材料１１２と上方シェル１０４との間でヒート又は熱エネルギーを伝導するように構成される。複数のピンの寸法及び間隙は、封止された相変化材料ヒートシンク１００が実装等される応用での熱的要求などの、如何なる適切な基準（criteria）に基づいても、また下方内部マトリクス１１０１のピン寸法及び間隙等に基づいて選択することができる。さらに、直線として図示されているけれども、ピンは、螺旋状、ジグザグ状その他の如何なる適切な構成をとることができる。上方内部マトリクス１１０２のピンの寸法及び間隙は、下方内部マトリクス１１０１のピンの寸法及び間隙と異なっても良いし、同一でも良い。さらに、直線として図示されているけれども、上方内部マトリクス１１０２のピンは、螺旋状、ジグザグ状その他の如何なる適切な構成をとることができる。
【００５３】
図５Ｃ−Ｄに示されるように、上方シェル１０４及び上方内部マトリクス１１０２を、下方シェル１０２、下方内部マトリクス１１０１及び封止された相変化材料１１２の上に追加され、それにより下方内部マトリクス１１０１上の封止された相変化材料１１２が上方内部マトリクス１１０２の複数のピン間の間隙を実質的に充填する。下方内部マトリクス１１０１のピンと上方内部マトリクス１１０２とが整合して図示されているけれども、代わりにこれらのピンは互いにずれていても良く、図３Ａ及び図４Ｃのピンと同一の長さ又は他の如何なる適切な長さにすることも可能になる。これらの実施形態のいくつかにおいて、封止された相変化材料１１２は、下方内部マトリクス１１０１のピンの頂部上方に追加されない。
【００５４】
図５Ｄに示されるように、上方シェル１０４は、図１に関して述べたように如何なる適切な方法によっても、界面１１４でシェル１０２と１０４とを互いにシーリングすることにより、下方シェル１０２に結合することができ、それにより封止された相変化材料ヒートシンク１００を形成する。
【００５５】
図６Ａ−Ｅは、本開示の一実施形態に従った、封止された相変化材料ヒートシンク１００の形成を示している。図６Ａに示す特定例において、隆起エッジ１０６により形成されるキャビティ１０８を有する下方シェル１０２がもたらされる。
【００５６】
次に、図６Ｂ−Ｅにおいて複数の点で表現されている内部マトリクス１１０が、図６Ｂに示されるように、キャビティ１０８に追加される。本実施形態においては、ピンの代わりに、内部マトリクス１１０は、アルミニウムフォーム（泡状体）（foam）又は他の如何なる適切なタイプの熱伝導フォーム（泡状体）を含み得る。次に、封止された相変化材料１１２が、図６Ｃに示すように内部マトリクス１１０内の空間に追加される。
【００５７】
図６Ｄ−Ｅに示されるように、上方シェル１０４が下方シェル１０２、内部マトリクス１１０及び封止された相変化材料１１２の上に追加され、シェル１０２及び１０４が、図１に関して述べたような如何なる適切な方法によっても界面１１４で互いにシーリングすることができ、封止された相変化材料ヒートシンク１００を形成する。こうして、上方シェル１０４が下方シェル１０２にシーリングされた後に、内部マトリクス１１０が、封止された相変化材料１１２と、下方シェル１０２及び上方の何れか又は両方との間でヒート又は熱エネルギーを伝導させる。
【００５８】
図７は、本開示に従って、封止された相変化材料ヒートシンク１００を形成する方法７００を示している。図７に示されている方法７００は、図示のためだけである。封止された相変化材料ヒートシンク１００は、本開示の範囲から逸脱することなく、如何なる適切な方法によっても形成することができる。
【００５９】
最初に、封止された相変化材料１１２が下方シェル１０２内へと挿入される（ステップ７０２）。特定の実施形態において、或いはいくつかの実施形態において、封止されたワックスパウダーを、（図４Ｂに示されるように）下方シェル１０２内のキャビティ１０８へと挿入でき、（図３Ｂに示されるように）下方シェル１０２内の内部マトリクス１１０の空間へと挿入でき、（図３Ｂ又は図６Ｃに示されるように）下方シェル１０２内の内部マトリクス１１０の空間へと挿入でき、或いは、（図５Ｂに示されるように）下方シェル１０２内の下方マトリクスの空間及び上方に挿入することもできる。
【００６０】
次に、封止された相変化材料１１２が上方シェル１０４で覆われる（ステップ７０４）。特定の実施形態において、或いは幾つかの実施形態において、封止されたワックスパウダー及び内部マトリクス１１０が、（図３Ｃ又は図６Ｄに示されるように）上方シェル１０４で覆われ、封止されたワックスパウダーが、（図４Ｃに示されるように）内部マトリクス１１０を含む上方シェル１０４で覆われ、或いは、封止されたワックスパウダー及び下方内部マトリクス１１０１が、（図５Ｃに示されるように）上方内部マトリクス１１０２を含む上方シェル１０４で覆われることができる。
【００６１】
次に、上方シェル１０４が下方シェル１０２に結合されて、封止された相変化材料ヒートシンク１００を完成させる（ステップ７０６）。例えば、高圧又は高温シーリング技術を使わずに、シェル１０２とシェル１０４との間の界面１１４で、上方シェル１０４を下方シェル１０２に結合させることができる。こうして、真空ろう付けも高圧シールプラグの何れも必要がない。代わりに、ファスナー、ネジ、Oリング、テープその他の適切な室温室圧技術を用いて、シェル１０２及び１０４を互いに結合することができる。結果として、従来の相変化材料ヒートシンクに比較して著しく廉価かつ高速であるプロセスを用いて封止された相変化材料ヒートシンク１００を形成することができ、依然として、固体金属ヒートシンクに比較して質量減少の利益が得られる。
【００６２】
図７は、封止された相変化材料ヒートシンク１００を形成する方法７００の一例を示しているけれども、図７に対して多くの変形が可能である。例えば、一連のステップが示されているが、図７に示される多くのステップが、オーバーラップしても良いし、並行に生じても良いし、異なる順序で生じてもよいし、或いは多重回数生じてもよい。
【００６３】
本開示の範囲から逸脱することなく、本明細書で述べた物及び方法に対して、修正、追加、省略が可能である。例えば、物の発明の成分が一体化されても分離されても良い。方法は、より多くのステップ、より少ないステップ又は他のステップを含んでも良い。さらに、上述したように、ステップは如何なる適切な順序で遂行されても良い。
【００６４】
本書面を通じて用いられる用語及びフレーズの定義をすることが利益となり得る。用語「結合」及びその派生語は、２個又はそれ以上の要素間の直接的又は間接的な通信を意味する。これらの要素は互いに物理的接触状態にあっても無くても良い。用語「含む」及び「有する」並びにこれらの派生語は、限定のない含有を意味する。用語「又は」は「及び／又は」を意味する。用語「各」は、セットの各メンバー、又はセットのうちのサブセットの各メンバーを意味する。「上の方（over）」及び「下の方（under）」の用語は、図中の相対的位置を意味し、製造中又は使用中に所要の方向を示す分けではない。「高い方」及び「低い方」などの用語は、相対的な値を意味しており、特定の値や値の範囲を示唆することを意図していない。「関連する」及び「関連して」などの用語は、それらの派生語とともに、「含まれる」、「相互接続する」、「包含する」、「包含される」、「接続する」、「結合する」、「通信する」、「協力する」、「インターリービングする」、「並置する」、「近接する」、「拘束される」、「有する」、「所有する」その他の意味を含む。
【００６５】
本開示は、これまで述べてきた複数の実施形態を含み、これらの実施形態及び方法に一般に関連する方法、変形及び置換が当業者には明白であろう。したがって、実施形態の上述の説明は本開示を定義したり限定しない。添付の特許請求の範囲により定義されるような、本開示の真意及び範囲を逸脱することなく、他の変形、交換及び改変も可能である。
【図１】
0006367361.tif 000002
【図２Ａ】
0006367361.tif 000003
【図２Ｂ】
0006367361.tif 000004
【図２Ｃ】
0006367361.tif 000005
【図３Ａ】
0006367361.tif 000006
【図３Ｂ】
0006367361.tif 000007
【図３Ｃ】
0006367361.tif 000008
【図３Ｄ】
0006367361.tif 000009
【図４Ａ】
0006367361.tif 000010
【図４Ｂ】
0006367361.tif 000011
【図４Ｃ】
0006367361.tif 000012
【図４Ｄ】
0006367361.tif 000013
【図５Ａ】
0006367361.tif 000014
【図５Ｂ】
0006367361.tif 000015
【図５Ｃ】
0006367361.tif 000016
【図５Ｄ】
0006367361.tif 000017
【図６Ａ】
0006367361.tif 000018
【図６Ｂ】
0006367361.tif 000019
【図６Ｃ】
0006367361.tif 000020
【図６Ｄ】
0006367361.tif 000021
【図６Ｅ】
0006367361.tif 000022
【図７】
0006367361.tif 000023